【事件の表示】
　特許第２６５９５７０号「電子スチルカメラおよび電子スチルカメラ用ストロボ」の請求項１ないし５に係る特許に対する特許異議の申立てについて、次のとおり決定する。
【結論】
　訂正を認める。
　特許第２６５９５７０号の請求項１ないし５に係る特許を維持する。
【理由】
Ｉ　手続の経緯
　本件特許についての手続の経緯は次のとおりである。
特許出願　　　　　　　昭和６３年１１月４日
特許権設定登録　　　　平成９年６月６日
特許異議の申立　　　　平成１０年３月２７日
取消理由通知　　　　　平成１１年４月１２日
訂正請求　　　　　　　平成１１年６月２８日
ＩＩ　訂正請求の適否についての判断
１．訂正請求の内容
　上記訂正請求は、訂正請求書の「訂正の要旨」に記載されるとおりの訂正事項ａ〜ｃに係る訂正を求めるものである。
２．訂正の目的の適否、明細書記載事項からの逸脱及び拡張・変更の存否
（１）上記訂正事項ａは、
▲１▼請求項１に対し、「一回目のストロボの発光時に測光を行い、該測光結果に応じて、２回目以降の前記電子シャッタ動作を制御する」との限定事項を付し、
▲２▼請求項２及び３に対し、それぞれ「１回目のストロボの発光時に測光を行い、該測光結果に応じて、２回目以降の前記時間間隔を制御する」との限定事項を付し、
▲３▼請求項４及び５に対し、それぞれ「１回目のストロボの発光時に測光を行い、該測光結果に応じて、２回目以降の前記ストロボの発光量を制御する」との限定事項を付すものであるから、特許請求の範囲の減縮を目的とする訂正に該当する。
（２）上記訂正事項ｂ，ｃは、明細書中の［課題を解決するための手段］の項、及び［作用］の項の各記載を上記請求項１〜５の訂正に整合させて明瞭化するものであるから、明瞭でない記載の釈明を目的とする訂正に該当する。
（３）また、上記訂正事項ａ〜ｃは、いずれも明細書の第２０頁１２行〜第２２頁５行（特許公報第９欄９〜４０行）及び第１９図に記載されている事項であることが認められるから、明細書又は図面の記載範囲内のもので、かつ実質的に特許請求の範囲を拡張、変更するものでもない。
３．独立特許要件の判断
（１）上記訂正後の請求項１〜５に係る各発明（以下これらを本件第１発明〜第５発明という）は、訂正明細書の請求項１〜５に記載されるとおりのものであって、いずれも、ストロボ撮影時において、１コマの撮影時間内にストロボを複数回発光させて撮影するようにし、その際、少なくとも１回の発光については、撮影露光量を変え得るようにし、撮影露光量を変える手段として、それぞれ電子シャッタ動作による受光量調整手段（本件第１発明）、ストロボの発光時間を変える手段（本件第２，第３発明）、ストロボの発光量を変える手段（本件第４，第５発明）を採用したものといえるが、更に、これら各発明は、上記１コマの撮影時間内の一回目のストロボの発光時に測光を行い、該測光結果に応じて、２回目以降の発光時における上記撮影露光量の変更の制御（電子シャッタ動作の制御、ストロボの発光開始から停止までの時間間隔の制御、ストロボの発光量の制御）を行うという構成を備えるものである。
（２）これに対し、前記取消理由で引用した特開昭６０−７６８８３号公報（異議申立の甲第１号証、以下刊行物１という）には、１コマの撮影時間内にストロボを複数回発光させて撮影し、その際、少なくとも１回の発光については、撮影露光量（ストロボの発光時間）を変え得るようにしたものが記載されているものの、上記本件第１〜第５発明のような“１コマの撮影時間内の一回目のストロボの発光時に測光を行い、該測光結果に応じて、２回目以降の発光時における撮影露光量の変更の制御を行う”ようにした上記構成については記載がなく、示唆されてもいない。
　また上記取消理由で引用した特開昭６３−２１７８８２号公報（異議申立の甲第２号証、以下刊行物２という）には、電子シャッタ動作によりストロボ撮影時の露光量制御を行うことが記載されているにすぎず（第１頁左下欄１８行〜同頁右下欄１行参照）、更に本件異議申立の甲第３，４号証についてみても、甲第３号証（特開昭５４−１４１６２４号公報、以下刊行物３という）には、マルチ発光式ストロボにおいて、発光回数を多く設定するほど各回の発光時間を短くして露出を適正なものとすることが記載されているにすぎず（第１頁右下欄、第２頁左上欄〜左下欄の実施例参照）、甲第４号証（特開昭５２−１５３４３２号公報、以下刊行物４という）には、フラッシュカメラにおいて、主放電コンデンサーの切換え、もしくは主放電コンデンサに供給する電源電圧の切換えによりフラッシュの発光光量を可変にすることが記載されているにすぎない（特許請求の範囲参照）ことが認められるから、これら刊行物２〜４の記載内容も、本件第１〜第５発明の上記構成を示唆するに足るものではない。
　したがって、本件第１〜第５発明が上記各刊行物１〜４に記載された発明であるとすることはできないし、これら発明から容易に想到されたものであるとすることもできない。
（３）また、本件異議申立の甲第５号証（特開平２−８４６３１号公報）は、本件特許の出願後の平成２年３月２６日に公開されたもので、同号証には本件特許の出願前の出願に係る発明（以下先願発明という）が記載されていることが認められるが、同発明は、マルチ閃光発光可能な電子発光装置において、撮影者の選択により複数回の閃光発光光量を所定の値で意図的に漸増又は漸減できるようにすることを目的とするものであって（第２頁左上欄１２〜１６行）、制御手段により、複数回の閃光発光の開始を指示すると共に、各発光の停止時点を漸増又は漸減する発光量が得られるよう予め設定した光量値に基づいて制御する構成を採用したもの（特許請求の範囲参照）であることが認められるから、“１コマの撮影時間内の一回目のストロボの発光時に測光を行い、該測光結果に応じて、２回目以降の発光時における撮影露光量の変更の制御を行う”上記構成を備えた本件第１〜第５発明との違いは明らかで、したがって、本件第１〜第５発明と同一の発明であるとすることはできない。
（４）以上のように、本件第１〜第５発明は、刊行物１〜４に記載された発明、もしくはこれら発明から容易に想到された発明であるとすることはできないものであり、また、上記甲第５号証の先願発明と同一の発明であるとすることもできないものである。
　また、他に本件第１〜第５発明が特許を受けることができないものであるとすべき理由は見出せない。
　したがって、本件第１〜第５発明が特許出願の際独立して特許を受けることができないものであるとすることはできない。
４．まとめ
　以上のとおりであるから、本件で請求する訂正は、特許法第１２０条の４第２項、及び同条第３項で準用する同法第１２６条第２〜４項の規定に適合するものである。
ＩＩＩ　異議申立についての判断
　本件異議申立の理由は、訂正前の請求項１〜５に係る各発明について、これら発明は、上記刊行物１に記載された発明、もしくは刊行物１〜４記載の発明に基づいて容易に想到された発明であるから、これら発明についての特許は、特許法第２９条第１項第３号、もしくは同条第２項の規定に違反しており、また、訂正前の請求項４，５に係る各発明について、これら発明は前記甲第５号証の先願発明と同一の発明であるから、これら発明についての特許は、特許法第２９条の２第１項の規定に違反しているとするものであるところ、この申立理由は、訂正後の請求項１〜５に係る本件第１〜第５発明については、前記ＩＩ、３．で判断したとおり理由がないものである。
ＩＶ　むすび
　以上のとおり、本件において請求する訂正は適法なものであり、また訂正後の請求項１〜５に係る各発明の特許について、本件異議申立は理由がないものである。
　また、他にこれら特許を取り消すべき理由を発見しない。
　よって、結論のとおり決定する。
【異議決定日】
平成１１年８月１２日（１９９９．８．１２）
【訂正の要旨】
訂正の要旨
▲１▼訂正事項ａ
　特許請求の範囲の請求項１ないし５を、特許請求の範囲の減縮を目的として、
「（１）外部からのタイミング信号に同期して発光するストロボと共に使用され、固体撮像素子を備えた電子スチルカメラであって、
　ストロボ撮影時には１コマ撮影時間内に複数のタイミング信号を前記ストロボに与えるタイミング信号供給手段と、
　前記ストロボの各発光のうち少なくとも１回の発光の途中で前記固体撮像素子の電子シャッタ動作を行うことにより受光量を調整する受光量調整手段と、
を具備し、
　１回目のストロボの発光時に測光を行い、該測光結果に応じて、２回目以降の前記電子シャッタ動作を制御することを特徴とする電子スチルカメラ。
（２）外部からの発光開始信号、発光停止信号により発光の開始、停止が制御されるストロボと共に使用され、静止画を撮影するための電子スチルカメラであって、
　ストロボ撮影時には１コマの撮影時間内に複数組の発光開始信号及び発光停止信号を前記ストロボに印加する発光開始信号及び発光停止信号印加手段と、
　前記複数組の発光開始信号及び発光停止信号のうち少なくとも１組については発光開始信号から発光停止信号までの時間間隔を他の組の時間間隔と異ならせる時間間隔制御手段と、
を具備し、
　１回目のストロボの発光時に測光を行い、該測光結果に応じて、２回目以降の前記時間間隔を制御することを特徴とする電子スチルカメラ。
（３）固体撮像素子を有する電子スチルカメラと共に使用されるストロボであって、
　ストロボ撮影時の１コマの撮影時間内に前記電子スチルカメラから与えられる複数組の発光開始信号及び発光停止信号であって、少なくとも１組は発光開始信号と発光停止信号の間の時間間隔が他の組とは異なる信号に基づき、発光開始及び停止を行う発光開始及び停止手段、
を具備し、
　１回目のストロボの発光時に測光を行い、該測光結果に応じて、２回目以降の前記時間間隔を制御することを特徴とする電子スチルカメラ用ストロボ。
（４）１コマの撮影時間内に複数回発光し、この複数回の発光のうち少なくとも１回の発光量が他の回の発光量と異なるストロボと共に使用される電子スチルカメラであって、
　前記ストロボを複数回発光させる発光開始信号を発生する発光開始信号発生手段、
を具備し、
　１回目のストロボの発光時に測光を行い、該測光結果に応じて、２回目以降のストロボの発光量を制御することを特徴とする電子スチルカメラ。
（５）電子スチルカメラと共に使用されるストロボであって、
　前記電子スチルカメラからの発光タイミング信号に同期して１コマの撮影時間内に複数回発光すると共に、この複数回の発光のうち少なくとも１回は他の回とは異なる発光量で発光する発光手段、
を具備し、
　１回目のストロボの発光時に測光を行い、該測光結果に応じて、２回目以降のストロボの発光量を制御することを特徴とする電子スチルカメラ用ストロボ。」と訂正する。
　▲２▼訂正事項ｂ
　特許明細書第５頁第１７行目から第８頁第３行目「上記課題を解決する・・・特徴とするものである。」を、明りょうでない記載の釈明を目的として、「上記課題を解決する請求項１記載の発明は、外部からのタイミング信号に同期して発光するストロボと共に使用され、固体撮像素子を備えた電子スチルカメラであって、ストロボ撮影時には１コマ撮影時間内に複数のタイミング信号を前記ストロボに与えるタイミング信号供給手段と、前記ストロボの各発光のうち少なくとも１回の発光の途中で前記固体撮像素子の電子シャッタ動作を行うことにより受光量を調整する受光量調整手段と、を具備し、１回目のストロボの発光時に測光を行い、該測光結果に応じて、２回目以降の前記電子シャッタ動作を制御することを特徴とするものである。
　上記課題を解決する請求項２記載の発明は、外部からの発光開始信号、発光停止信号により発光の開始、停止が制御されるストロボと共に使用され、静止画を撮影するための電子スチルカメラであって、ストロボ撮影時には１コマの撮影時間内に複数組の発光開始信号及び発光停止信号を前記ストロボに印加する発光開始信号及び発光停止信号印加手段と、前記複数組の発光開始信号及び発光停止信号のうち少なくとも１組については発光開始信号から発光停止信号までの時間間隔を他の組の時間間隔と異ならせる時間間隔制御手段と、を具備し、１回目のストロボの発光時に測光を行い、該測光結果に応じて、２回目以降の前記時間間隔を制御することを特徴とするものである。
　上記課題を解決する請求項３記載の発明は、固体撮像素子を有する電子スチルカメラと共に使用されるストロボであって、ストロボ撮影時の１コマの撮影時間内に前記電子スチルカメラから与えられる複数組の発光開始信号及び発光停止信号であって、少なくとも１組は発光開始信号と発光停止信号の間の時間間隔が他の組とは異なる信号に基づき、発光開始及び停止を行う発光開始及び停止手段、を具備し、１回目のストロボの発光時に測光を行い、該測光結果に応じて、２回目以降の前記時間間隔を制御することを特徴とするものである。
　上記課題を解決する請求項４記載の発明は、１コマの撮影時間内に複数回発光し、この複数回の発光のうち少なくとも１回の発光量が他の回の発光量と異なるストロボと共に使用される電子スチルカメラであって、前記ストロボを複数回発光させる発光開始信号を発生する発光開始信号発生手段、を具備し、１回目のストロボの発光時に測光を行い、該測光結果に応じて、２回目以降のストロボの発光量を制御することを特徴とするものである。
　上記課題を解決する請求項５記載の発明は、電子スチルカメラと共に使用されるストロボであって、前記電子スチルカメラからの発光タイミング信号に同期して１コマの撮影時間内に複数回発光すると共に、この複数回の発光のうち少なくとも１回は他の回とは異なる発光量で発光する発光手段、
を具備し、１回目のストロボの発光時に測光を行い、該測光結果に応じて、２回目以降のストロボの発光量を制御することを特徴とするものである。」と訂正する。
　▲３▼訂正事項ｃ
　特許明細書第８頁第５７行目から第９頁第１０行目「請求項項１記載の・・・発光量と異なる。」を、明りょうでない記載の釈明を目的として、「請求項１記載の電子スチルカメラは、ストロボ撮影時には１コマ撮影時間内に複数のタイミング信号を前記ストロボに与えるタイミング信号供給手段と、前記ストロボの各発光のうち少なくとも１回の発光の途中で固体撮像素子の電子シャッタ動作を行うことにより受光量を調整する受光量調整手段と、を具備し、１回目のストロボの発光時に測光を行い、該測光結果に応じて、２回目以降の電子シャッタ動作を制御する。
　請求項２記載の電子スチルカメラは、ストロボ撮影時には１コマの撮影時間内に複数組の発光開始信号及び発光停止信号を前記ストロボに印加する発光開始信号及び発光停止信号印加手段と、複数組の発光開始信号及び発光停止信号のうち少なくとも１組については発光開始信号から発光停止信号までの時間間隔を他の組の時間間隔と異ならせる時間間隔制御手段と、を具備し、１回目のストロボの発光時に測光を行い、該測光結果に応じて、２回目以降の時間間隔を制御する。
　請求項３記載の電子スチルカメラ用ストロボは、ストロボ撮影時の１コマの撮影時間内に電子スチルカメラから与えられる複数組の発光開始信号及び発光停止信号であって、少なくとも１組は発光開始信号と発光停止信号の間の時間間隔が他の組とは異なる信号に基づき、発光開始及び停止を行う発光開始及び停止手段、を具備し、１回目のストロボの発光時に測光を行い、該測光結果に応じて、２回目以降の時間間隔を制御する。
　請求項４記載の電子スチルカメラは、ストロボを複数回発光させる発光開始信号を発生する発光開始信号発生手段、を具備し、１回目のストロボの発光時に測光を行い、該測光結果に応じて、２回目以降のストロボの発光量を制御する。
　請求項５記載の電子スチルカメラ用ストロボは、電子スチルカメラからの発光タイミング信号に同期して１コマの撮影時間内に複数回発光すると共に、この複数回の発光のうち少なくとも１回は他の回とは異なる発光量で発光する発光手段、
を具備し、１回目のストロボの発光時に測光を行い、該測光結果に応じて、２回目以降のストロボの発光量を制御する。」と訂正する。
（５４）【発明の名称】
電子スチルカメラおよび電子スチルカメラ用ストロボ
（５７）【特許請求の範囲】
（１）外部からのタイミング信号に同期して発光するストロボと共に使用され、固体撮像素子を備えた電子スチルカメラであって、
　ストロボ撮影時には１コマ撮影時間内に複数のタイミング信号を前記ストロボに与えるタイミング信号供給手段と、
　前記ストロボの各発光のうち少なくとも１回の発光の途中で前記固体撮像素子の電子シャッタ動作を行うことにより受光量を調整する受光量調整手段と、
を具備し、
　１回目のストロボの発光時に測光を行い、該測光結果に応じて、２回目以降の前記電子シャッタ動作を制御することを特徴とする電子スチルカメラ。
（２）外部からの発光開始信号、発光停止信号により発光の開始、停止が制御されるストロボと共に使用され、静止画を撮影するための電子スチルカメラであって、
　ストロボ撮影時には１コマの撮影時間内に複数組の発光開始信号及び発光停止信号を前記ストロボに印加する発光開始信号及び発光停止信号印加手段と、
　前記複数組の発光開始信号及び発光停止信号のうち少なくとも１組については発光開始信号から発光停止信号までの時間間隔を他の組の時間間隔と異ならせる時間間隔制御手段と、
を具備し、
　１回目のストロボの発光時に測光を行い、該測光結果に応じて、２回目以降の前記時間間隔を制御することを特徴とする電子スチルカメラ。
（３）固体撮像素子を有する電子スチルカメラと共に使用されるストロボであって、
　ストロボ撮影時の１コマの撮影時間内に前記電子スチルカメラから与えられる複数組の発光開始信号及び発光停止信号であって、少なくとも１組は発光開始信号と発光停止信号の間の時間間隔が他の組とは異なる信号に基づき、発光開始及び停止を行う発光開始及び停止手段、
を具備し、
　１回目のストロボの発光時に測光を行い、該測光結果に応じて、２回目以降の前記時間間隔を制御することを特徴とする電子スチルカメラ用ストロボ。
（４）１コマの撮影時間内に複数回発光し、この複数回の発光のうち少なくとも１回の発光量が他の回の発光量と異なるストロボと共に使用される電子スチルカメラであって、
　前記ストロボを複数回発光させる発光開始信号を発生する発光開始信号発生手段、
を具備し、
　１回目のストロボの発光時に測光を行い、該測光結果に応じて、２回目以降のストロボの発光量を制御することを特徴とする電子スチルカメラ。
（５）電子スチルカメラと共に使用されるストロボであって、
　前記電子スチルカメラからの発光タイミング信号に同期して１コマの撮影時間内に複数回発光すると共に、この複数回の発光のうち少なくとも１回は他の回とは異なる発光量で発光する発光手段、
を具備し、
　１回目のストロボの発光時に測光を行い、該測光結果に応じて、２回目以降のストロボの発光量を制御することを特徴とする電子スチルカメラ用ストロボ。
【発明の詳細な説明】
（産業上の利用分野）
　本発明は、電子スチルカメラ並びに電子スチルカメラ用ストロボに関する。
（発明の背景）
　通常の電子スチルカメラは、固体撮像素子の受光部で所定時間露光・蓄積を行った後、転送部への電荷移動で露光を終了する。この露光期間中にストロボが１回だけ発光する。
　通常のストロボは、コンデンサに充電した電荷を全部発光のために使うものと、被写体からの反射光を検出して適正レベルになったところで発光停止するものとがある。
（発明が解決しようとする課題）
　ストロボ撮影をした場合、カメラに近い被写体や反射率の高い被写体が白くとんでしまいがちである。
　また、それらの被写体に合わせて絞りを調節したり、オートストロボの発光を途中で停止させたりすると、少し離れた被写体や反射率の低い被写体が黒くつぶれてしまうという不具合があった。
　このような場合、ストロボ光が全く届かないような遠い被写体は仕方ないが、カメラに近い被写体から少し離れただけで黒くつぶれてしまうのでは困る。
　このような問題は通常の光源で撮影する場合にも生じていた。それを解決する手段として、１９７８年テレビジョン学界全国大会報４３頁〜４４頁「ＣＣＤイメージセンサのＫｎｅｅ特性制御」、本件出願人による特願昭６２−８７３９３号などにより提案が成されている。しかし、これらはいずれも露光を複数回に分けて行うものであるので、トリガ信号により１回発光するだけのストロボ撮影には対応することができないという問題がある。
　本発明は上記した問題点に鑑みてなされたもので、その目的とするところは、反射率や距離の違いが有っても、得られる画像が白くとんだり黒くつぶれたりしないような電子スチルカメラ並びに電子スチルカメラ用ストロボを実現することにある。
（課題を解決するための手段）
　上記課題を解決する請求項１記載の発明は、外部からのタイミング信号に同期して発光するストロボと共に使用され、固体撮像素子を備えた電子スチルカメラであって、ストロボ撮影時には１コマ撮影時間内に複数のタイミング信号を前記ストロボに与えるタイミング信号供給手段と、前記ストロボの各発光のうち少なくとも１回の発光の途中で前記固体撮像素子の電子シャッタ動作を行うことにより受光量を調整する受光量調整手段と、を具備し、１回目のストロボの発光時に測光を行い、該測光結果に応じて、２回目以降の前記電子シャッタ動作を制御することを特徴とするものである。
　上記課題を解決する請求項２記載の発明は、外部からの発光開始信号、発光停止信号により発光の開始、停止が制御されるストロボと共に使用され、静止画を撮影するための電子スチルカメラであって、ストロボ撮影時には１コマの撮影時間内に複数組の発光開始信号及び発光停止信号を前記ストロボに印加する発光開始信号及び発光停止信号印加手段と、前記複数組の発光開始信号及び発光停止信号のうち少なくとも１組については発光開始信号から発光停止信号までの時間間隔を他の組の時間間隔と異ならせる時間間隔制御手段と、を具備し、１回目のストロボの発光時に測光を行い、該測光結果に応じて、２回目以降の前記時間間隔を制御することを特徴とするものである。
　上記課題を解決する請求項３記載の発明は、固体撮像素子を有する電子スチルカメラと共に使用されるストロボであって、ストロボ撮影時の１コマの撮影時間内に前記電子スチルカメラから与えられる複数組の発光開始信号及び発光停止信号であって、少なくとも１組は発光開始信号と発光停止信号の間の時間間隔が他の組とは異なる信号に基づき、発光開始及び停止を行う発光開始及び停止手段、を具備し、１回目のストロボの発光時に測光を行い、該測光結果に応じて、２回目以降の前記時間間隔を制御することを特徴とするものである。
　上記課題を解決する請求項４記載の発明は、１コマの撮影時間内に複数回発光し、この複数回の発光のうち少なくとも１回の発光量が他の回の発光量と異なるストロボと共に使用される電子スチルカメラであって、前記ストロボを複数回発光させる発光開始信号を発生する発光開始信号発生手段、を具備し、１回目のストロボの発光時に測光を行い、該測光結果に応じて、２回目以降のストロボの発光量を制御することを特徴とするものである。
　上記課題を解決する請求項５記載の発明は、電子スチルカメラと共に使用されるストロボであって、前記電子スチルカメラからの発光タイミング信号に同期して１コマの撮影時間内に複数回発光すると共に、この複数回の発光のうち少なくとも１回は他の回とは異なる発光量で発光する発光手段、
を具備し、１回目のストロボの発光時に測光を行い、該測光結果に応じて、２回目以降のストロボの発光量を制御することを特徴とするものである。
（作用）
　請求項１記載の電子スチルカメラは、ストロボ撮影時には１コマ撮影時間内に複数のタイミング信号を前記ストロボに与えるタイミング信号供給手段と、前記ストロボの各発光のうち少なくとも１回の発光の途中で固体撮像素子の電子シャッタ動作を行うことにより受光量を調整する受光量調整手段と、を具備し、１回目のストロボの発光時に測光を行い、該測光結果に応じて、２回目以降の電子シャッタ動作を制御する。
　請求項２記載の電子スチルカメラは、ストロボ撮影時には１コマの撮影時間内に複数組の発光開始信号及び発光停止信号を前記ストロボに印加する発光開始信号及び発光停止信号印加手段と、複数組の発光開始信号及び発光停止信号のうち少なくとも１組については発光開始信号から発光停止信号までの時間間隔を他の組の時間間隔と異ならせる時間間隔制御手段と、を具備し、１回目のストロボの発光時に測光を行い、該測光結果に応じて、２回目以降の時間間隔を制御する。
　請求項３記載の電子スチルカメラ用ストロボは、ストロボ撮影時の１コマの撮影時間内に電子スチルカメラから与えられる複数組の発光開始信号及び発光停止信号であって、少なくとも１組は発光開始信号と発光停止信号の間の時間間隔が他の組とは異なる信号に基づき、発光開始及び停止を行う発光開始及び停止手段、を具備し、１回目のストロボの発光時に測光を行い、該測光結果に応じて、２回目以降の時間間隔を制御する。
　請求項４記載の電子スチルカメラは、ストロボを複数回発光させる発光開始信号を発生する発光開始信号発生手段、を具備し、１回目のストロボの発光時に測光を行い、該測光結果に応じて、２回目以降のストロボの発光量を制御する。
　請求項５記載の電子スチルカメラ用ストロボは、電子スチルカメラからの発光タイミング信号に同期して１コマの撮影時間内に複数回発光すると共に、この複数回の発光のうち少なくとも１回は他の回とは異なる発光量で発光する発光手段、を具備し、１回目のストロボの発光時に測光を行い、該測光結果に応じて、２回目以降のストロボの発光量を制御する。
（実施例）
　以下図面を参照して、本発明の実施例を詳細に説明する。
　第１図は本発明の電子スチルカメラの一実施例の全体構成を示す構成図である。図において、１は後述するレンズ系１１により形成された光像を電気信号（画像データ）に変換するための固体撮像素子（以下ＣＣＤという）、１０は撮影時に発光するストロボ、１１は被写体の像をＣＣＤ１に結ばせるためのレンズ系、１２はＣＣＤ１の出力を増幅するためのアンプ、１３はＣＣＤ１の出力を映像信号に変換するためのプロセス回路、１４は映像信号をビデオフロッピー１５に記録するための信号に変換する記録回路、１６はＣＣＤ１の出力から露出制御を行うための測光値を算出する測光回路、１７は露出制御のほかに各部を統括制御するＣＰＵ、１８はＣＣＤ１を駆動するためのＣＣＤ駆動回路である。このＣＣＤ駆動回路１８は電荷の読出しタイミングを調整することでシャッタスピードを調節する電子シャッタ機能を備えているものとする。
　第２図はこのＣＣＤ１を駆動する際の駆動パルスを示すタイムチャートである。尚、この駆動パルスを発生するＣＣＤ駆動回路は、周知の回路に若干の変更を加えることにより実現できるものであり、詳細な回路構成については省略する。
　第３図は前述の実施例に用いるＣＣＤ１の要部の構成を示す構成図である。ここではＣＣＤ１としてインターラインＣＣＤの場合について説明する。図において、２は受光量に応じた電荷を発生する受光部、３は受光部で発生した電荷を垂直方向に転送する垂直転送部、４は垂直転送部からの電荷を水平方向に転送する水平転送部である。ここでは、３×４画素分を示している。
　また、このＣＣＤ１の受光部２と垂直転送部３のポテンシャルは第４図もしくは第５図のようになっているものとする。すなわち、転送部は受光部の５倍の電荷を蓄えることが可能であるとする。
　以下、第１図乃至第５図を参照して本発明の実施例の動作をＣＣＤの駆動を中心に説明する。
　上記第２図のＡが露光，Ｂが読出しの期間であるとすると、Ａの最初にφＶ１〜φＶ４に対応する画素の電荷を垂直転送部３に移した後、逆転送により電荷を捨てる。その後、５回（Ｔ１，Ｔ２，Ｔ３，Ｔ４，Ｔ５）に分けて受光部２から垂直転送部３への電荷移動を行い、垂直転送部３上で加算したものをＢの期間に読み出す。この５分割した露光期間に、それぞれストロボを発光させる（第２図（ニ）〜（ト））。そして、このストロボ発光の強度を変える（第２図（ホ）〜（ト））ことにより、特性を変えることができる。
　（ニ）に示すように５回の発光量を等しく設定すると、従来のストロボ発光（第２図（チ））により通常の読出しを行ったのと同じである。
　また、ストロボ発光２（第２図（ホ））のように５回目の発光量のみを小さくした場合、被写体の反射率とＣＣＤ１の出力電荷の関係は第６図のようになる。ここでは、第５回目の発光量を第１〜４回目の発光量の１／４の場合について説明する。１〜４回目のストロボ発光による発生電荷は第６図Ａのようになり、５回目のストロボ発光による発生電荷は第６図Ｂのようになる。従って、５回分の電荷を加算すると、第６図Ｃの特性になる。すなわち、ＡとＢの特性の違いにより、ニー特性が現れる。このため、反射率の高い被写体でも飽和することがない。
　また、ストロボ発光３（第２図（へ））のように、それぞれの発光量の比を１６：１６：４：４：１とした場合、被写体の反射率とＣＣＤ１の出力電荷の関係は第７図Ｄのようになる。１，２回目のストロボ発光による発生電荷は第７図Ａのようになり、３，４回目のストロボ発光による発生電荷は第７図Ｂのようになり、５回目のストロボ発光による発生電荷は第７図Ｃのようになる。従って、５回分の電荷を加算すると、第７図Ｄの特性になる。すなわち、Ａ，Ｂ，Ｃの特性の違いにより、ニー特性が現れる。このため、反射率の高い被写体でも出力が飽和することがない。
　また、ストロボ発光４（第２図（ト））のように、それぞれの発光量の比を１６：４：４：４：１とした場合、被写体の反射率とＣＣＤ１の出力電荷の関係は第７図Ｅのようになる。１回目のストロボ発光による発生電荷は第７図Ａのようになり、２，３，４回目のストロボ発光による発生電荷は第７図Ｂのようになり、５回目のストロボ発光による発生電荷は第７図Ｃのようになる。従って、５回分の電荷を加算すると、第７図Ｅの特性になる。すなわち、Ａ，Ｂ，Ｃの特性の違いにより、ニー特性が現れる。このため、反射率の高い被写体でも出力が飽和することがない。
　以上のように、ストロボの発光量を変えることにより、これ以外にも種々の特性を得ることが可能である。
　第８図は通常のストロボの回路構成を参考のために示した回路図である。このストロボの動作は以下の通りである。メインスイッチＳＷＭをオンすると、昇圧回路１０ａにより電源電圧Ｅは昇圧されてコンデンサＣ１に充電される。コンデンサＣ１に充電された電圧が所定の値に達すると、ネオン管Ｎｅが発光し、充電完了を知らせる。このとき、カメラからのＸ接点信号によりＳＷＸがオンすると、コンデンサＣｓの放電電流によりスパイク状の電圧が放電管Ｘｅに加わる。このスパイク状の電圧が放電開始のトリガになり、コンデンサＣ１の充電電荷が放電管を流れ、放電（発光）が行われる。コンデンサＣ１の充電電荷が無くなると、放電は終了する。
　第９図は本発明のストロボの回路構成を示した回路図である。この構成では、充電コンデンサがＣ１，Ｃ２，Ｃ３，Ｃ４，Ｃ５の５個設けられており、コントローラ１０ｂからの指示でスイッチＳＷＣが切り替えられる。従って、各コンデンサの容量を整することにより、第２図（ニ）〜（ト）に示したような発光特性を容易に実現することができる。
　第１０図は上記コントローラ１０ｂ及びスイッチＳＷＣの構成例を示した回路図である。また、第１１図はコントローラ１０ｂの動作時のタイムチャートである。ワンショットマルチＭＭ１は電子スチルカメラからのＸ接点信号を受け、ストロボ発光時間より長い（約１ｍｓ）のパルスを発生する。そして、ワンショットマルチＭＭ２がこのパルスを受け、ＭＭ１の出力パルスの立ち下がりに同期したパルスを発生する。２ビットカウンタはこのＭＭ２の出力パルスを受け、Ｃ０，Ｃ１，キャリーを発生する。そして、２ｔｏ４デコーダ及びインバータＩＮＶからそれぞれ位相の異なるパルスＤ０，Ｄ１，Ｄ２，Ｄ３，Ｄ４が出力される。これらパルスＤ０，Ｄ１，Ｄ２，Ｄ３，Ｄ４によりスイッチＳＷＣがオン／オフ制御される。第１１図の場合、パルスＤ０，Ｄ１，Ｄ２，Ｄ３，Ｄ４がローレベルのときに、スイッチＳＷＣの各接点がオン状態になる。このようにして、電子スイッチカメラからのＸ接点信号により、ストロボの複数のコンデンサが切り替わり、複数回の発光が行われる
　第１２図は本発明のストロボの回路構成の他の例を示す回路図である。この構成では、コントローラ１０ｂが発光の開始と停止を制御することで、単一のコンデンサで複数回の発光制御を行わせるものである。すなわち、スイッチＳＷＸのオンで発光が開始し、発光中にスイッチＳＷＫをオフすることで発光を停止させて発光量を調整する。従って、スイッチＳＷＫをオフするタイミングを制御することで、各発光量の調整ができる。第１３図は、この様な制御を行うときのタイムチャートである。この例では、５回目の発光量のみが小さくなっている。
　第１４図は第１２図に示したストロボのコントローラの構成例を示す回路図である。ここで、２ビットカウンタのキャリーか出ているとき以外は、ワンショットマルチＭＭ２の長めのパルスの期間ストロボが発光する。ワンショットマルチＭＭ４の出力パルスの立ち下がりで発光停止が行われる。キャリーが出ているときは、ワンショットマルチＭＭ１の短めのパルスの期間発光が行われ、ワンショットマルチＭＭ４の出力パルスの立ち下がりで発光が停止する。また、発光開始は常にワンショットマルチＭＭ３の立ち上がりで行われるため、このパルス幅はストロボのフル発光時間より長くしておくことが必要である。
　尚、ストロボ側にコントローラを配置せずに、電子スチルカメラ側から直接ストロボを制御することも可能である。従って、第１２図のストロボ１０からコントローラ１０ｂを除き、第１５図に示す信号でスイッチＳＷＸとＳＷＫとを制御するのである。この場合、第１５図の信号がローレベルのとき両スイッチがオンするようにしておけば良い。
　ストロボの発光量を毎回同じにしておき、電子スチルカメラ側で受光量を調節すること方法も考えられる。このために、絞りを調節することも考えられるが、高速性が要求される場合は、ＣＣＤの電子シャッタ動作が適当である。第１６図にこの様な電子シヤッタ動作の例を示した。ここでは、ストロボ発光（第１６図（ホ））の第５回目の途中で、ＣＣＤの受光部から電荷読出しが行われるようにしてある。このため、５回目の発光の途中の電荷読出し（第１６図（ホ）▲１▼）以後の発光は、画像形成に寄与しない。従って、実質的に５回目の発光量が少なくなったのと同じである。このため、第２図（ホ）に示した発光の場合と同様な効果が得られる。
　第１７図はストロボ発光の３，４，５回目の途中で電荷読出しを行うようにした場合のタイムチャートである。この場合、３回目と４回目の発光時の電子シャッタ動作後に受光部で発生した電荷をオーバーフロードレイン（ＯＦＤ）に捨てるようにしている。このため、オーバーフローコントロールゲート（ＯＦＣＧ）にコントロールパルスを加え、このパルスがハイレベルの時にＯＦＣＧのレベルが下がり、電荷がＯＦＤに捨てられる。
　第１８図はストロボ発光の３，４，５回目の途中までの電荷を捨てるようにした場合のタイムチャートである。この場合、ストロボ発光３，４，５回目の発光直前にＯＦＣＧをハイレベルにしておき、発光途中でローレベルにする。これにより、ＯＦＣＧハイレベルの期間の電荷はＯＦＤに捨てられ、ＯＦＣＧローレベルの期間の電荷が蓄積されて読み出される。従って、このＯＦＣＧのローレベルの期間を調節することにより、発光量の実効値を調整する
　以上の説明では、予め各回の発光量が決定されている場合について説明したが、これを可変発光量とすることも可能である。例えば、オートストロボ（被写体からの反射光を受光して積分し、積分値が一定値になったところで発光を停止するストロボ）と同様な動作を行わせることも可能である。
　つまり、各回の発光を発光量で制御するのではなく、被写体からの反射光の測光積分値で制御する方法が考えられる。例えば、第２図（ト）のストロボ発光４の場合は各回の発光量の比を１６：４：１と制御していたが、１回目はある値Ｖ０、２，３，４回目はＶ０／４、５回目はＶ０／１６に達した時点で発光を停止させるようにする。この場合、第１５図や第１７図のような制御が可能である。また、この変形例として、測光は１回目だけとして、この１回目の発光量を記憶しておき、２回目以降は記憶値と一定比率になるように発光量を制御することも可能である。
　１回目の発光は常に一定量で発光し、そのときに測光し、その結果に応じて２回目以降の発光量をコントロールするという方法も考えられる。オートストロボ的な方法の場合は測光回路の応答は速くなければいけないが、本方法の場合は遅くても構わない。一例として、測光結果が標準的な値であれば各回の発光量の比を１６：４：１、測光結果が小さい値であれば各回の発光量の比を１６：８：２、測光結果が大きい値であれば各回の発光量の比を１６：２：０．５とする。このときの特性を第１９図に示す。図において、横軸はある特定の距離にある被写体の反射率、縦軸は信号電荷量を表している。そして、発光量比１６：８：４：２：１：０．５のときの特性がそれぞれ▲１▼，▲２▼，▲３▼，▲４▼，▲５▼，▲６▼であり、３回の発光が１６：４：１のときの特性がＡ、３回の発光が１６：８：２のときの特性がＢ、３回の発光が１６：２：０．５のときの特性がＣとなる。ここで、▲６▼，Ｃのときは反射率２００％の被写体まで信号が飽和しない。この反射率２００％の被写体とは、距離１／√２のところにある反射率１００％の被写体に相当する。１回目の発光で測光し、その結果が小さい値のときは被写体が暗い，すなわち高反射率の被写体があまりないということであり、ニー特性を強くする必要はない。そこで、この場合はＢの特性で良いことになり、２回目以降の発光を制御する。若し、１回目の発光による測光結果が大きい値のときはその逆で、高反射率，近距離の被写体にまで対応できるＣの特性になるような制御を行う。ここでは、３段階に制御する場合であるが、測光値に応じて各回の発光量の比を連続的に変えるようにすれば、露出制御の精度を上げることが可能である。電子スチルカメラ側で制御する方式（電子シャッタ動作，発光開始／停止制御）の場合も同様である。
　また、事前に予備発光を行って、その時の測光結果を参照して発光量を変えることもできる。予備発光は撮影のフィールド以前に行うため、１回目の発光から最適発光量を選択することも可能である。但し、予備発光のために、コンデンサＣ１の容量を大きくする必要がある。
　尚、以上の説明では、ＣＣＤを１フィールド期間で複数回読出しを行う場合にストロボを複数回発光させるものとしたが、本発明のストロボはこれ以外の場合にも対応可能である。例えば、１９７８年テレビジョン学会全国大会報第４３頁〜第４４頁「ＣＣＤイメージセンサのＫｎｅｅ特性制御」に提案されているようなＣＣＤにも、本発明のストロボを使用することができる。第２０図は、この提案のＣＣＤの電荷蓄積特性とＸ接点信号の関係を示した説明図である。すなわち、受光部に蓄え得る最大蓄積電荷量を、受光途中で大きくする（Ｖ１→Ｖ２、Ｖ２→Ｖ３）のである。従って、最大蓄積電荷量を変える度に、ストロボを発光させるのである。
　また、第２１図は、本件出願人が特願昭６２−８７３９３号で提案した「ＣＣＤ駆動回路」の電荷蓄積特性を、本発明のストロボを制御するためのＸ接点信号と共に示した説明図である。この提案では、最大蓄積電荷量を固定しておき、受光途中で一定の電荷を捨てることにより、Ｋｎｅｅ特性を得るものである。この場合も、本発明のストロボを複数回発光させることで良好な結果を得ることができる。
　そして、以上の説明では、電子スチルカメラとストロボが分離しているものとして説明したが、ストロボを内蔵した電子スチルカメラとすることも可能である。そして、電子スチルカメラにストロボを内蔵させた場合、制御が容易になる。
（発明の効果）
　以上詳細に説明したように、本発明の電子スチルカメラでは、１コマの撮影時間内に複数回ストロボを発光させると共に複数回の電荷読出しを行い、発光量若しくは電子シャッタの制御により受光量を調整するようにした。このため、高輝度域でもＣＣＤの出力が飽和せず、ダイナミックレンジが広がる。従って、反射率や距離の違いが有っても、得られる画像が白くとんだり黒くつぶれたりしない電子スチルカメラを実現することができる。
　また、本発明の電子スチルカメラ用ストロボでは、１コマの撮影時間内に複数回ストロボを発光すると共に、少なくとも１回の発光量が他と異なるようにした。このため、電子スチルカメラ側でＣＣＤの出力が飽和せず、ダイナミックレンジが広がる。従って、被写体の反射率や距離の違いが有っても、電子スチルカメラで得られる画像が白くとんだり黒くつぶれたりしない電子スチルカメラ用ストロボを実現することができる。
【図面の簡単な説明】
　第１図は電子スチルカメラの概略構成を示す構成図、第２図は本発明装置の動作時の波形を示すタイムチャート、第３図はＣＣＤの構成の概略を示した説明図、第４図及び第５図はＣＣＤのポテンシャルを示す説明図、第６図及び第７図はＣＣＤの出力特性を示す特性図、第８図及び第９図はストロボの回路構成を示す回路図、第１０図はストロボのコントローラの回路例を示す回路図、第１１図はコントローラの動作時のタイムチャート、第１２図はストロボの回路構成の他の例を示す回路図、第１３図はストロボの制御の状態を示すタイムチャート、第１４図はコントローラの回路の他の例を示す回路図、第１５図乃至第１８図はストロボ及びＣＣＤの制御の状態を示すタイムチャート、第１９図は本発明による電荷蓄積特性の一例を示す特性図、第２０図は及び第２１図はＣＣＤの受光特性とＸ接点信号との関係を示す説明図である。　
　　１…ＣＣＤ　　　　　　２…受光部
　　３…垂直転送部　　　　４…水平転送部
　１０…ストロボ　　　　１０ａ…昇圧回路
　１０ｂ…コントローラ　１１…レンズ系
　１２…アンプ　　　　　１３…プロセス回路
　１４…記録回路
　１５…ビデオフロッピー
　１６…測光回路　　　　１７…ＣＰＵ
　１８…ＣＣＤ駆動回路